(57)【特許請求の範囲】
【請求項１】
吊り下げ手段に吊り下げられて複数のリング状成形体を鉛直方向に並べて吊り下げる吊り下げ用治具であって、
吊り下げ手段に吊り下げられるブロックと、
該ブロックに上端部が鉛直方向に回転可能に取り付けられると共に上端部よりも下側に前記リング状成形体を係止する係止部を有する複数のアームを有する吊り下げアーム群とを備え、
前記吊り下げアーム群が、前記ブロックを中心に周方向に沿って複数取り付けられ、
前記複数の吊り下げアーム群どうしの間では、前記アームの係止部の取り付け高さが異なっていることを特徴とする吊り下げ用治具。
【請求項２】
前記吊り下げアーム群は、該吊り下げアーム群の前記複数のアームどうしの開き角度をある角度に保持する角度保持部材を備えていることを特徴とする請求項１に記載の吊り下げ用治具。
【発明の詳細な説明】
【技術分野】
【０００１】
本発明は、リング状成形体をクレーンなどで吊るための吊り下げ用治具に関する。
【背景技術】
【０００２】
従来より、例えば、航空機用のエンジンの一部として複雑な段付きテーパを有する比較的大型のリング状成形体が用いられるが、このリング状成形体は、製造過程において、エッチング処理を施されたり、搬送されたりする際には、吊り下げ用治具を介してクレーンなどで吊り下げされている。
【０００３】
このリング状成形体を吊り下げるには、クレーンに上端部が鉛直方向へ回転可能に取り付けられると共に、下端部にリング状成形体を係止する係止部を有する複数のアームを備える吊り下げ用治具が使用されている。この吊り下げ用治具を使用してリング状成形体を移動させるには、１つのリング状成形体を複数のアームの係止部で係止し、この状態でクレーンを駆動させて移動させている。
この吊り用治具のように、荷物などの対象物を吊るための吊り下げ用治具が特許文献１および２に開示されている。
【先行技術文献】
【特許文献】
【０００４】
【特許文献１】特開平９−２７９８４５号公報
【特許文献２】特開平３−２６７２９６号公報
【発明の概要】
【発明が解決しようとする課題】
【０００５】
しかしながら、従来の吊り下げ用治具は、一度に１つの対象物しか吊ることができないため、このような吊り下げ治具を使用して多数のリング状成形体にエッチング処理を行ったり、多数のリング状成形体を搬送したりするには、作業効率が悪く、多くの時間がかかっている。
【０００６】
本発明は、上述する事情に鑑みてなされたもので、同時に複数のリング状成形体を吊ることができる吊り下げ用治具を提供することを目的とする。
【課題を解決するための手段】
【０００７】
上記目的を達成するため、本発明に係る吊り下げ用治具は、吊り下げ手段に吊り下げられて複数のリング状成形体を鉛直方向に並べて吊り下げる吊り下げ用治具であって、吊り下げ手段に吊り下げられるブロックと、該ブロックに上端部が鉛直方向に回転可能に取り付けられると共に上端部よりも下側に前記リング状成形体を係止する係止部を有する複数のアームを有する吊り下げアーム群とを備え、前記吊り下げアーム群が、前記ブロックを中心に周方向に沿って複数取り付けられ、前記複数の吊り下げアーム群どうしの間では、前記アームの係止部の取り付け高さが異なっていることを特徴とする。
【０００８】
本発明では、吊り下げアーム群が、ブロックを中心に周方向に沿って複数取り付けられ、複数の吊り下げアーム群どうしの間では、アームの係止部の取り付け高さが異なっていることにより、複数の吊り下げアーム群の係止部がそれぞれ異なる高さでリング状成形体を係止するため、複数のリング状成形体を鉛直方向に並べて同時に吊り下げることができる。
【０００９】
また、本発明に係る吊り下げ用治具では、前記吊り下げアーム群は、該吊り下げアーム群の前記複数のアームどうしの開き角度をある角度に保持する角度保持部材を備えていてもよい。
このように、吊り下げアーム群は、吊り下げアーム群の複数のアームどうしの開き角度をある角度に保持する角度保持部材を備えていることにより、複数のアームどうしの開き角度をある角度よりも小さくなることを防ぐことができるため、複数のアーム間にリング状成形体を設置しやすい。
また、一の吊り下げアーム群でリング状成形体を吊り下げるため、アームの係止部をリング状成形体に係止させるとき、他の吊り下げアーム群のアームがリング状成形体に干渉しないように、それらアームを開き状態すなわち待機状態にすることができる。
【発明の効果】
【００１０】
本発明によれば、複数のリング状成形体を同時に吊り下げることができるため、リング状成形体を製造する際のエッチング作業や運搬などにかかる時間を短縮することができる。
【図面の簡単な説明】
【００１１】
【図１】本発明の実施形態による吊り下げ用治具の一例を示す斜視図である。
【図２】（ａ）は図１に示す吊り下げ用治具の上面図、（ｂ）は側面図である。
【発明を実施するための形態】
【００１２】
以下、本発明の実施形態による吊り下げ用治具について、図１および図２に基づいて説明する。
図１および図２に示すように、本実施形態による吊り下げ用治具１は、第１リング状成形体（リング状成形体）２１（図２参照）および第２リング状成形体（リング状成形体）２２（図２参照）を吊るために使用する治具である。
そして、吊り下げ用治具１は、ホイストクレーンなどのクレーン（吊り下げ手段）２３（図１参照）に吊り下げられるブロック２と、上端部３ａがブロック２に取り付けられて下端部３ｂに第１リング状成形体２１を係止して保持する第１係止部（係止部）４を備える一対の第１アーム３，３と、上端部５ａがブロック２に取り付けられて下端部５ｂに第２リング状成形体２２を係止して保持する第２係止部（係止部）６を備える一対の第２アーム５，５と、一対の第１アーム３，３どうしを所定の開き角度に保持する第１角度保持部材（角度保持部材）７と、一対の第２アーム５，５どうしを所定の開き角度に保持する第２角度保持部材（角度保持部材）８と、を備えている。
【００１３】
図２（ａ）および（ｂ）に示すように、第１リング状成形体２１および第２リング状成形体２２は、同じ形状に成形されており、例えば、航空機用エンジン用のある部材として用いられるものである。第１リング状成形体２１および第２リング状成形体２２は、平面視円環状で所定の高さを有し、かつ複数の段付きテーパを有する筒状の部材で、上端部の径寸法が、下端部の径寸法よりも小さく成形されている。また、図２（ｂ）に示すように、第１リング状成形体２１および第２リング状成形体２２は、それぞれ、外周面の上端部に周方向に延在する凹部２１ａ，２２ａが形成されている。
そして、第１係止部４および第２係止部６は、フック状に形成されていて、凹部２１ａには第１係止部４が掛けられ、凹部２２ａには第２係止部６が掛けられるように構成されている。
【００１４】
図１および図２に示すように、ブロック２は、クレーン２３のフック２３ａ（図１参照）に掛けられるリング材１１と、リング材１１と連結され第１アーム３，３および第２アーム５，５が取り付けられるアーム保持部材１２と、を備えている。
【００１５】
第１アーム３，３は、略直線状の部材の略中心が所定の角度を為すように曲げられて側面視されたときに斜め下方に延びる第１屈曲部材１３と、該第１屈曲部材１３の両端部１３ｂの近傍にそれぞれ連結されて第１屈曲部材１３を補強する第１補強部材１４と、を備えている。
第１屈曲部材１３は、曲げられた屈曲部１３ａが上側、端部１３ｂ，１３ｂが下側となるように配されている。また、第１屈曲部材１３は、アーム保持部材１２に形成された水平方向に貫通する穴１２ａに挿通されていて、上側の屈曲部１３ａが穴１２ａに係止されているとともに穴１２ａの中で鉛直方向に回転可能に保持されている。このため、第１屈曲部材１３は、屈曲部１３ａを中心として鉛直方向に回転可能に構成されている。
一対の第１アーム３，３は、アーム保持部材１２を中心に対向するように配設されていて、第１アーム群（吊り下げアーム群）９を構成している。
なお、第１補強部材１４は、第１屈曲部材１３の端部１３ｂ以外に設けられていてもよく、複数設けられていてもよい。
【００１６】
一対の第１アーム３，３は、それぞれ上端部３ａを中心に鉛直方向に回転可能に構成されていることにより、第１リング状成形体２１（図２参照）がブロック２の下側で一対の第１アーム３，３間に配されたときに、それぞれ重力によって下方に回転して互いに近接する。このため、一対の第１アーム３，３は、第１リング状成形体２１に近接する。
そして、図１および図２（ｂ）に示すように、一の第１アーム３の第１係止部４は、それぞれ対向する他の第１アーム３側（図の内側）に突出するフック状に形成されていることにより、一対の第１アーム３，３が第１リング状成形体２１に近接したときに、第１リング状成形体２１の凹部２１ａに掛けられる。
そして、この状態で吊り下げ用治具１が吊上げられると、第１リング状成形体２１も第１係止部４に掛けられた状態のまま吊上げられることになる。
【００１７】
図１および図２に示すように、第２アーム５，５は、略直線状の部材の略中心が所定の角度を為すように曲げられて側面視されたときに斜め下方に延び次いで鉛直下方に延びる第２屈曲部材１５と、第２屈曲部材１５の両端部１５ｂの近傍にそれぞれ連結されて第２屈曲部材１５を補強する第２補強部材１６と、を備えている。
第２屈曲部材１５は、曲げられた屈曲部１５ａが上側、端部１５ｂ，１５ｂが下側となるように配されている。また、第２屈曲部材１５は、アーム保持部材１２に形成された水平方向に貫通する穴１２ｂに挿通されていて、上側の屈曲部１５ａが穴１２ｂに係止されているとともに穴１２ｂの中で鉛直方向に回転可能に保持されている。このため、第２屈曲部材１５は、屈曲部１５ａを中心として鉛直方向に回転可能に構成されている。
一対の第２アーム５，５は、アーム保持部材１２を中心に対向するように配設されていて、第２アーム群（吊り下げアーム群）１０を構成している。
なお、第２補強部材１６は、第２屈曲部材１５の端部１５ｂ以外に設けられてもよく、複数設けられてもよい。
【００１８】
一対の第２アーム５，５は、それぞれ上端部５ａを中心に鉛直方向に回転可能に構成されていることにより、第２リング状成形体２２（図２参照）がブロック２の下側で一対の第２アーム５，５間に配されたときに、それぞれ重力で下方に回転して互いに近接する。このため、一対の第２アーム５，５は、第２リング状成形体２２に近接する。
そして、図１および図２（ｂ）に示すように、一の第２アーム５の第２係止部６は、それぞれ対向する他の第２アーム５側（図の内側）に突出するフック状に形成されていることにより、一対の第２アーム５が第２リング状成形体２２に近接したときに、第２リング状成形体２２の凹部２２ａに掛けられる。
そして、この状態で吊り下げ用治具１が吊上げられると、第２リング状成形体２２も第２係止部６に掛けられた状態のまま吊上げられることになる。
【００１９】
このとき、第１アーム３の第１屈曲部材１３は、第２アーム５の第２屈曲部材１５よりも高さ方向に短く形成されている。このため、第１アーム３および第２アーム５がアーム保持部材１２に取り付けられると、第１アーム３の第１係止部４は、第２アーム５の第２係止部６の上方に位置している。
これにより、第１アーム群９が第１リング状成形体２１を係止することと、第２アーム群１０が第２リング状成形体２２を係止することと、を同時に行うことができる。
【００２０】
また、第１アーム３の第１係止部４と第２アーム５の第２係止部６との間隔は、第１リング状成形体２１の高さ寸法よりも大きくなっている。
これにより、第１アーム３，３に係止された第１リング状成形体２１と、第２アーム５，５に係止された第２リング状成形体２２とが吊り下げられたときに、第１リング状成形体２１と第２リング状成形体２２とが接触することを防ぐことができる。
【００２１】
なお、第１アーム群９を構成する各部材は、第２アーム群１０に係止された第２リング状成形体２２と干渉しない形状に形成され、また、第２アーム群１０を構成する各部材は、第１アーム群９に係止された第１リング状成形体２１と干渉しない形状に形成されている。
【００２２】
図１および図２に示すように、第１角度保持部材７は、棒状の部材で、一方の端部７ａが第１アーム群９の一方の第１アーム３に鉛直方向に回転可能に保持されて、他方の端部７ｂが、他方の第１アーム３に着脱可能に構成されている。
第２角度保持部材８は、棒状の部材で、一方の端部８ａが第２アーム群１０の一方の第２アーム５に鉛直方向に回転可能に保持されて、他方の端部８ｂが、他方の第２アーム５に着脱可能に構成されている。
なお、第１角度保持部材７および第２角度保持部材８は、図示しないターンバックルなどを備えていて、それぞれ延在方向に長さ調整可能としてもよい。このように、第１角度保持部材７の長さが調整可能であることにより、一対の第１アーム３，３どうしの開き角度を所望の角度に調整することができ、また第２角度保持部材８の長さが調整可能であることにより、一対の第２アーム５，５どうしの開き角度を所望の角度に調整することができる。
【００２３】
次に、上述した吊り下げ用治具１で、第１リング状成形体２１および第２リング状成形体２２を吊って移動させる手順について説明する。
まず、図１に示すクレーン２３のフック２３ａにブロック２のリング材１１を掛けて、吊り下げ用治具１がクレーン２３にセットされた状態とする。
このとき、クレーン２３および吊り下げ用治具１の下方に、第１リング状成形体２１および第２リング状成形体２２を仮置きできる図示しない台が設置されている状態とする。そして、本実施形態では、台上面に、第１リング状成形体２１および第２リング状成形体２２を台の上面と平行にスライド可能とする図示しないガイド部材が設けられている状態とする。なお、台やガイド部材が設けられていない状態としてもよい。
【００２４】
そして、クレーン２３の高さを調整して、第１アーム３の第１係止部４がガイド部材に対して第１リング状成形体２１の高さよりもやや高い位置となるように吊り下げ用治具１をセットする。このとき、一対の第１アーム３，３どうしは、第１角度保持部材７によって、所定の開き角度に保持されており、第１リング状成形体２１を設置可能な状態となっている。また、一対の第２アーム５，５どうしも、第２角度保持部材８によって、一対の第１アーム３，３間に設置される第１リング状成形体２１と干渉しないように所定の開き角度に保持されている。
【００２５】
続いて、図２に示す第１リング状成形体２１を吊り下げ用治具１に係止させる。
このとき、第１リング状成形体２１をガイド部材の上に設置し、ガイド部材に沿ってスライドさせて吊り下げ用治具１の下に設置する。
そして、第１アーム３，３下端部の第１係止部４を第１リング状成形体２１の凹部２１ａに係止させる。
【００２６】
続いて、第２リング状成形体２２を吊り下げ用治具１に係止させる。
まず、クレーン２３を駆動させて、吊り下げ用治具１を第１リング状成形体２１と共に上昇させ、第１リング状成形体２１とガイド部材との間に第２リング状成形体２２が設置できる状態とする。このとき、一対の第２アーム５，５間は、第２リング状成形体２２が設置可能な開き角度に保持された状態とする。
そして、第２リング状成形体２２をガイド部材の上に設置し、スライドさせて、第１リング状成形体２１の下方に位置させる。
そして、第２アーム５下端部の第２係止部６を第２リング状成形体２２の上部側の凹部２２ａに係止させる。
このとき、第１アーム３の第１係止部４と第２アーム５の第２係止部６との間隔は、第１リング状成形体２１の高さ寸法よりも大きくなっているため、第１リング状成形体２１と第２リング状成形体２２との接触を防ぐことができる。
【００２７】
続いて、第１リング状成形体２１および第２リング状成形体２２を同時に吊上げて移動させる。
まず、クレーン２３を駆動させて、吊り下げ用治具１を上昇させる。これに伴い、第１リング状成形体２１および第２リング状成形体２２が上昇する。そして、クレーン２３を所望の場所に水平移動させることによって、第１リング状成形体２１および第２リング状成形体２２が所望の場所に移動することになる。
なお、吊上げた状態で第１リング状成形体２１および第２リング状成形体２２にエッチング処理などの作業を行ってもよい。
【００２８】
続いて、第１リング状成形体２１および第２リング状成形体２２をクレーン２３から下ろす。
まず、クレーン２３を下降させて、第２リング状成形体２２を下方のガイド部材と当接させる。そして、この状態で第２アーム５，５を外方にずらして第２係止部６と第２リング状成形体２２の凹部２２ｂとの係止を解く。これにより、第２リング状成形体２２と第２アーム５，５とが離間する。
そして、第２リング状成形体２２をガイド材に沿ってスライドさせて所定の位置に移動させる。
【００２９】
次に、クレーン２３を更に下降させて、第１リング状成形体２１をガイド部材に当接させる。そして、この状態で第１アーム３，３を外方にずらして第１係止部４と第１リング状成形体２１の凹部２１ｂとの係止を解く。これにより、第１リング状成形体２１と第１アーム３，３とが離間する。
そして、第１リング状成形体２１をガイド材に沿ってスライドさせて所定の位置に移動させる。
なお、第２リング状成形体２２を所定の位置に下ろした後に、再度クレーン２３を上昇させ、水平方向に移動させてからクレーン２３を下降させ、第２リング状成形体２２を下ろした位置と異なる位置に第１リング状成形体２１を下ろしてもよい。
【００３０】
次に、上述した吊り下げ用治具１の効果について図面を用いて説明する。
本実施形態による吊り下げ用治具１によれば、第１リング状成形体２１および第２リング状成形体２２を同時に吊上げることができるため、従来のように１つずつリング状成形体を吊上げて作業を行う場合と比べて、作業時間を短縮することができる効果を奏する。
また、第１リング状成形体２１および第２リング状成形体２２は接触しないため、第１リング状成形体２１および第２リング状成形体２２に同時にエッチング処理などの作業を行うことができる。
また、第１アーム３および第２アーム５がアーム保持部材１２を中心に鉛直方向へ回転可能であることにより、一対の第１アーム３，３どうしの開き角度および一対の第２アーム５，５どうしの開き角度を所望の角度に調整することができる。このため、第１リング状成形体２１および第２リング状成形体２２の大きさが異なる場合でも、同一の第１アーム３、第２アーム５を使用することができ、同一の吊り下げ用治具１で各種寸法の第１リング状成形体２１および第２リング状成形体２２を吊り下げることができる。
【００３１】
以上、本発明による吊り下げ用治具の実施形態について説明したが、本発明は上記の実施形態に限定されるものではなく、その趣旨を逸脱しない範囲で適宜変更可能である。
例えば、上述した実施形態では、吊り下げ用治具１は、第１角度保持部材７および第２角度保持部材８を備えているが、第１角度保持部材７および第２角度保持部材８を備えていない構成としてもよい。
また、上述した実施形態では、第１アーム群９および第２アーム群１０を備えているが、３つ以上のアーム群を備えて、３つ以上のリング状成形体を吊上げる構成としてもよい。
また、上述した実施形態では、第１および第２アーム群９，１０は、それぞれ一対の第１アーム３，３または一対の第２アーム５，５を備えているが、３つ以上のアームを備え、３つ以上のアームで第１リング状成形体２１または第２リング状成形体２２を保持しても良い。
【００３２】
また、上述した実施形態では、第１係止部４および第２係止部６は、それぞれ第１アーム３、第２アーム５の下端部３ｂ，５ｂに設けられているが、アーム保持部材１２よりも下側であれば、第１アーム３、第２アーム５の下端部３ｂ，５ｂ以外に設けられていてもよい。
また、上述した実施形態では、第１アーム３、第２アーム５は、略直線状の部材を曲げた屈曲部材とこれを補強する補強部材とを備えているが、第１アーム３、第２アーム５は、これ以外の形状であってもよい。
また、上述した実施形態では、第１リング状成形体２１および第２リング状成形体２２は、第１係止部４、第２係止部６が係止する凹部２１ａ、２２ａがそれぞれ上端部近傍に設けられているが、上端部近傍以外の位置に設けられていてもよい。
【００３３】
また、上述した実施形態では、第１係止部４がフック状に形成され、第１リング状成形体２１の凹部２１ａに掛けられることで、第１アーム３が第１リング状成形体２１を係止するように構成されているが、第１アーム３が第１リング状成形体２１を係止する構成は、これ以外の構成としてもよい。
また、上述した実施形態では、第２係止部６がフック状に形成され、第２リング状成形体２２の凹部２２ａに掛けられることで、第２アーム５が第２リング状成形体２２を係止するように構成されているが、第２アーム５が第２リング状成形体２２を係止する構成は、これ以外の構成としてもよい。
【００３４】
また、上述した実施形態では、第１リング状成形体２１を第１アーム３，３に係止させた後に第２リング状成形体２２を第２アーム５，５に係止させているが、先に第２リング状成形体２２を第２アーム５，５に係止させ、その後第１リング状成形体２１を第１アーム３，３に係止させてもよい。また、予め第１リング状成形体２１と第２リング状成形体２２とを重ねて配置しておき、この状態で第１リング状成形体２１を第１アーム３，３に係止させると共に第２リング状成形体２２を第２アーム５，５に係止させ、第１リング状成形体２１と第２リング状成形体２２とを同時に吊り下げるようにしてもよい。
【符号の説明】
【００３５】
１  吊り下げ用治具
２  ブロック
３  第１アーム
４  第１係止部
５  第２アーム
６  第２係止部
７  第１角度保持部材
８  第２角度保持部材
９  第１アーム群（吊り下げアーム群）
１０  第２アーム群（吊り下げアーム群）
２１  第１リング状成形体
２２  第２リング状成形体
２３  クレーン（吊り下げ手段）
【図１】
0005680467.tif 000002
【図２】
0005680467.tif 000003